(57)【要約】【課題】係合部材と被係合部材との係合を解除するための動作範囲を広くするとともに、係合解除時における係合部材または被係合部材の破損を防止した実験台を提供する。【解決手段】蓋部材５を上方に載置可能なシンク８を備える実験台１であって、実験台１の本体２の前面２ａには被係合部材３，３が設けられ、蓋部材５の背面５ａには被係合部材３，３に係合する係合部材４，４が固定されており、係合部材４，４は蓋部材５に固定される基部４０と、基部４０より垂下して延設される垂下部４１とを有し、垂下部４１が少なくとも基部４０に対し弾性変形可能である。【選択図】図１
2014091089.tif 000002
【特許請求の範囲】
【請求項１】
蓋部材を上方に載置可能なシンクを備える実験台であって、該実験台の本体の前面には被係合部材が設けられ、前記蓋部材の背面には前記被係合部材に係合する係合部材が固定されており、前記係合部材は蓋部材に固定される基部と、該基部より垂下して延設される垂下部とを有し、前記垂下部が少なくとも前記基部に対して弾性変形可能になっていることを特徴とする実験台。
【請求項２】
前記垂下部は肉薄部を有しているとともに、該垂下部と前記基部との境界近傍が前記肉薄部より肉厚に形成されていることを特徴とする請求項１に記載の実験台。
【請求項３】
前記被係合部材が断面視円形の棒体に形成され、前記垂下部と前記基部との間に前記被係合部材を案内する傾斜面が形成されていることを特徴とする請求項１または２に記載の実験台。
【請求項４】
前記基部は正面視における外縁寄りの上部と、その下方左右が蓋部材に固定されていることを特徴とする請求項１ないし３のいずれかに記載の実験台。
【発明の詳細な説明】
【技術分野】
【０００１】
本発明は、理化学の実験室等で利用される実験台に係り、特にシンクを備えた実験台に関する。
【背景技術】
【０００２】
従来、理化学の実験室等で利用される実験台は、ビーカー等の実験用具の洗浄等の用途でシンクを備えるとともに、実際に実験等を行う以外にシンクの横に備えるテーブルを利用して筆記作業等を行うこともできる多目的な実験台であることが多い。そして、このような実験台の中には、シンクの不使用時にシンクの上方に、テーブルとして利用可能な蓋部材を載置することで筆記スペースを増設可能なものがある（例えば、特許文献１参照）。また、この実験台は前記蓋部材の背面に係合片（係合部材）を取付けるとともに、コア部（実験台本体）の前面に前記係合部を係合させる被係合部（被係合部材）を備えることで、シンクの使用時には蓋部材を実験台本体に支持させておくことができ、大変便利である。
【先行技術文献】
【特許文献】
【０００３】
【特許文献１】特開２００７−１０５５６３号公報（第４頁、第４図）
【発明の概要】
【発明が解決しようとする課題】
【０００４】
しかしながら、特許文献１にあっては、シンクの不使用時には、当然被係合部より蓋部材を取外す必要があるが、このとき前記被係合部がコア部の前面に金属棒を折曲げて形成された上面視コ字状であり、蓋部材側の係合片は板金を折曲げて形成され、被係合部に支持される平面部分と、この平面部分より屈曲されて下方に向け延びて落下を防止する垂下部分（垂下部）とを備えた形状であるため、蓋部材の係合片をコア部の被係合部より係合解除するには、利用者は係合片における垂下部分に被係合部を乗り越えるまで蓋部材を上方に持ち上げる必要があり、蓋部材の取り外し時の作業が面倒である。また、利用者によっては上方への引き上げ動作が不十分な状態で蓋部材の下方を手前に引いてしまう場合が起こり得る。この場合、前記蓋部材の背面上端が実験台本体の前面に当接し、ここを支点として、また利用者が蓋部材を持つ部分を力点として被係合部と係合部材の垂下部分との当接箇所に梃子の作用で大きな負荷が掛かり、被係合部または係合部材が破損してしまう虞がある。
【０００５】
本発明は、このような問題点に着目してなされたもので、係合部材と被係合部材との係合を解除するための動作範囲を広くするとともに、係合解除時における係合部材または被係合部材の破損を防止した実験台を提供することを目的とする。
【課題を解決するための手段】
【０００６】
前記課題を解決するために、本発明の実験台は、
蓋部材を上方に載置可能なシンクを備える実験台であって、該実験台の本体の前面には被係合部材が設けられ、前記蓋部材の背面には前記被係合部材に係合する係合部材が固定されており、前記係合部材は蓋部材に固定される基部と、該基部より垂下して延設される垂下部とを有し、前記垂下部が少なくとも前記基部に対して弾性変形可能になっていることを特徴としている。
この特徴によれば、係合部材における垂下部が基部に対して弾性変形可能であることから、係合部材と被係合部材との係合を解除の際に、上方への引き上げ動作が不十分な状態で蓋部材を手前に引く動作を行った場合であっても垂下部が弾性変形して係合部材と被係合部材との係合が解除されるため、蓋部材は被係合部に対して、上方への引き上げ動作と手前方向へ引く動作の組合せの範囲内で係合を解除でき、利用者による実験台本体から蓋部材を係合解除する動作範囲を広くすることができる。また、係合部材における基部に対して垂下部が弾性変形可能であることから、蓋部材の実験台本体前面からの脱着時における被係合部または係合部材の破損が防止されることになる。
【０００７】
本発明の実験台は、
前記垂下部は肉薄部を有しているとともに、該垂下部と前記基部との境界近傍が前記肉薄部より肉厚に形成されていることを特徴としている。
この特徴によれば、平常時は変形しにくい肉薄部より肉厚な垂下部と基部との境界近傍が被係合部材に当接するため被係合部材からの蓋部材の脱落を防止可能である。また、垂下部はその肉薄の部位が弾性変形しやすいため大きな力を必要とせずに係合解除可能である。
【０００８】
本発明の実験台は、
前記被係合部材が断面視円形の棒体に形成され、前記垂下部と前記基部との間に前記被係合部材を案内する傾斜面が形成されていることを特徴としている。
この特徴によれば、蓋部材を手前に引いて被係合部材との係合を解除する際に、被係合部材が傾斜面に案内されて係合部材の垂下部の肉薄部に押圧されるため、垂下部が変形しやすく大きな力を必要とせずに係合解除可能である。
【０００９】
本発明の実験台は、
前記基部は正面視における外縁寄りの上部と、その下方左右が蓋部材に固定されていることを特徴としている。
この特徴によれば、係合部材は蓋部材に固定される基部の中央部が蓋部材に対して固定されていないことから、所定以上の負荷が掛かった場合に基部が蓋部材から離間するように変形して、係合部材の変形量を増やすことができるため、大きな力を必要とせずに係合解除可能である。
【図面の簡単な説明】
【００１０】
【図１】実施例における実験台を示す斜視図である。
【図２】同じく実験台を示す側面図である。
【図３】蓋部材を示す斜視図である。
【図４】（ａ）は、蓋部材の係合部材を示す係合側から視た図であり、（ｂ）は、（ａ）の背面図である。
【図５】（ａ）は、係合部材を示す斜視図であり、（ｂ）は、同じく側断面図である。
【図６】係合部材を実験台本体の被係合部材より係合解除する際において、蓋部材を上方に持ち上げた様子を示す一部拡大側面図である。
【図７】（ａ）は、同じく蓋部材を手前に引いた様子を示す一部拡大側面図であり、（ｂ）は、同じく係合部材の背面側から視た図である。
【図８】同じく蓋部材を手前に引いた様子を示す一部拡大側断面図である。
【図９】同じく係合部材が弾性復元した様子を示す一部拡大側面図である。
【発明を実施するための形態】
【００１１】
本発明に係る実験台を実施するための形態を実施例に基づいて以下に説明する。
【実施例】
【００１２】
図１の符号１は、本発明の適用された実験台である。実験台１は、特に学校などの理化学の実験室および研究室に複数台設置され、例えば複数人で共同実験を行う際に利用される多機能な実験台であり、研究者や実習生の研究および実験等に使用される。
【００１３】
図１および図２に示されるように、実験台１は、床面に載置固定された実験台本体２と、この実験台本体２の左右に一体となるように設けられ、脚柱１４，１４，…により支持されるテーブル１０，１０とからなり、これらのテーブル１０，１０上で筆記等を行える。
【００１４】
実験台本体２の上部には上向きに開口するシンク８，８が設けられており、このシンク８は不使用時に上方に矩形板状の蓋部材５，５を載置することで閉蓋することができる。以下、図２における実験台本体２の左右側を前面２ａ，２ａとして説明する。
【００１５】
また、実験台本体２の前面２ａの上部には金属棒を折曲げて形成された上面コ字状の被係合部材３，３が左右方向に間隔を開けてそれぞれ取付けられており、この被係合部材３，３は断面視略円形の金属製の棒部材を屈曲して形成されている。なお、ここでは図示しないが前面２ａにも同様に被係合部材３，３が取付けられている（図３参照）。
【００１６】
さらに、シンク８には蛇口８ａが設けられるとともに、シンク８，８同士の中央付近にはガスバーナー等が接続可能なガス栓１１，１１が設けられている。そして、シンク８の不使用時には、蛇口８ａを回動させてシンク８内に収納するとともに蓋部材５をシンク上方に載置することで、この蓋部材５の上面をテーブルとして利用することができるようになっている（図２参照）。
【００１７】
なお図２に示されるように、シンク８の使用時には実験台本体２の前面に蓋部材５を支持させておくことができるようになっており、詳しくは後述する蓋部材５の背面に設けられた係合部材４，４を前記被係合部材３，３に係合させることで実験台本体前面２ａに支持される。
【００１８】
図３に示されるように、蓋部材５は、実験台本体前面２ａに対面する側である背面５ａの下部の角部側に合成ゴム等で形成される突起６，６が図示しないビス等により固着されており、蓋部材５が実験台本体２に支持された際に、これらの突起６，６が実験台本体前面２ａに当接することで、蓋部材５を略垂直に安定させるとともに、蓋部材５と実験台本体前面２ａとの距離を規定している。また、蓋部材５の背面５ａの上部には、合成ゴム等で形成された係合部材４，４がビス１００，１００，１００によりそれぞれ固着されている。
【００１９】
図４および図５に示されるように、係合部材４は、蓋部材５の背面５に固定される基部４０と、該基部４０より下方に延設される垂下部４１とから構成されている。
【００２０】
基部４０は、背面視における外縁寄りの上部に穿設されたビス孔４０ａとその下方左右に穿設されたビス孔４０ｂ，４０ｂに金属製筒状のカラー１２，１２，１２が固着されて、後述するビス１００，１００，１００（図２参照）による固着時における基部４０の厚み方向への変形を防止している。そして基部４０は、これらカラー１２，１２，１２をビス１００，１００，１００（図２参照）が挿通するとともに、ビス孔４０ａおよび４０ｂ，４０ｂより大径の凹面４００ａおよび４００ｂ，４００ｂにビス１００，１００，１００の頭が当接して、蓋部材５の背面５ａに固着されている。
【００２１】
図４（ｂ）および図５（ｂ）に示されるように、基部４０はその固定側４０ｃ中央にビス孔４０ａ，４０ｂ，４０ｂ周辺を避けて肉抜き部５０が形成されており、この肉抜き部５０により基部４０に一部肉薄部が形成されて弾性変形量が増加するとともに、係合部材４自体の重量を減らし、かつ合成ゴムの使用量を削減してコスト安としている。
【００２２】
更に基部４０は、図４（ａ）および図５（ａ）に示されるように、係合側４０ｄ中央部が膨出した膨出部４０ｅが形成されており、この膨出部４０ｅの下部から垂下部４１が延設されている。
【００２３】
また図５（ｂ）に示されるように垂下部４１は側面視において、その固定側４１ａに後方に向け傾斜する傾斜部４１０が形成され、さらに垂下部４１自体の幅寸法が固定側４１ａから視た時に下部に向け漸次幅狭となるように形成されており、上部にはある程度の強度を持たせるとともに、下部に向かうにつれて弾性変形しやすい形状となっている。（図４（ａ）参照）。
【００２４】
図４（ｂ）および図５（ｂ）に示されるように、垂下部４１は、その固定側４１ａの中央部に肉抜き部５１（肉薄部）が形成されており、この肉抜き部５１により垂下部４１の側面が所定の厚みの壁部４１ｂ，４１ｂとなり、より弾性変形しやすい形状となっている。なお、垂下部４１と基部４０との境界近傍は肉抜き部５１が形成されない肉厚部４１ｃとなっており、弾性変形しにくくなっている。
【００２５】
前述したように、実験台１はシンク８の使用時には、係合部材４，４を被係合部材３，３に係合させることで蓋部材５を実験台本体２に支持しておくことができ（図２参照）、このとき係合部材４における基部４０の下面４０ｆが被係合部材３，３の上に載置されることで蓋部材５の荷重のほとんどが支持されるようになっている。また、シンク８の不使用時には、係合部材４，４を被係合部材３，３から係合解除して、シンク８の上方に蓋部材５を載置するようになっている。
【００２６】
前述したように実験台１は、主に理化学の実験室などに設置されて利用され、研究者や実習生が頻繁に蓋部材５の着脱を行うことが想定されており、さらにその利用者の体格や筋力によって被係合部３，３から蓋部材５を取外す方向や方法などが多種多様である。
【００２７】
例えば、図６に示されるように、利用者により蓋部材５が上方へ持ち上げられた際、垂下部４１が被係合部３より上方まで十分に引き上げられる前に手前に引かれる場合があり、この場合、当然被係合部３に係合部材４が当接することとなる。
【００２８】
このとき前述したように蓋部材５が利用者により上方に持ち上げられて、前記垂下部４１の肉厚部４１ｃが被係合部３より上方に避けられるため、前述した垂下部４１における下部、即ち変形しやすい部位が被係合部３に対し押圧されることになる。
【００２９】
図７に示されるように、押圧により垂下部４１全体が弾性変形すると同時に、垂下部４１の壁部４１ｂ，４１ｂが被係合部３に押圧されることで外側に開くように変形し、箱状に形状を保持されていた垂下部４１の構造が崩れ、垂下部４１が弾性変形しやすくなる。
【００３０】
また、前述したように係合部材４の基部４０は、蓋部材５に対して外縁寄りの上部と左右のみをビス１００，１００，１００で固定されていることから、基部４０の中央部から下方にかけて蓋部材背面５ａに対して固定されていない。そのため、上述したように垂下部４１が被係合部３の上方まで十分に引き上げられる前に蓋部材５が手前に引かれるような場合には、図８に示されるように基部４０の下部が蓋部材背面５aより離間し、この離間距離αの分だけ係合部材４の変形量を増やすことができることから、大きな力を必要とせずに係合解除可能である。また、離間距離α分垂下部４１への負荷を減らして係合部材４，４の破損を防止可能である。
【００３１】
こうして図９に示されるように、垂下部４１が弾性変形することで被係合部３，３を乗り越え、係合部材４と被係合部３との係合が解除される。そして係合部材４の垂下部４１は、係合の解除の後、弾性力で元の形状に復帰する。
【００３２】
以上説明したように、本発明の実験台１は、係合部材４における垂下部４１が基部４０に対して弾性変形可能であることから、係合部材４と被係合部材３との係合を解除の際に、上方への引き上げ動作が不十分な状態で蓋部材５の下方を手前に引く動作を行った場合であっても垂下部４１が弾性変形して係合部材４と被係合部材３との係合が解除されるため、蓋部材５は被係合部３に対して、上方への引き上げ動作と手前方向へ引く動作の組合せの範囲内で係合を解除でき、利用者による実験台本体２から蓋部材５を係合解除する動作範囲を広くすることができる。また、係合部材４における垂下部４１が弾性変形可能であることから、被係合部材３または係合部材４の破損を防止することができる。
【００３３】
また、平常時は変形しにくい垂下部４１と基部４０との境界近傍の肉厚部４１ｃと基部下面４０ｆが被係合部材３に当接するため蓋部材５の脱落を防止可能であり、また垂下部４１は肉抜き部５１外周の壁部４１ｂ，４１ｂが被係合部材３に押圧されることから変形しやすいため大きな力を必要とせずに係合解除可能である。
【００３４】
また、被係合部材３が断面視円形の棒体に形成され、垂下部４１と基部４０との間に被係合部材３を案内する傾斜面４１０が形成されていることから、蓋部材５を手前に引いて被係合部材３との係合を解除する際に、被係合部材３が傾斜面４１０に案内されて係合部材４の垂下部４１の壁部４１ｂ，４１ｂに押圧されるため、垂下部４１が変形しやすく大きな力を必要とせずに係合解除可能である。
【００３５】
なお、実施例において係合部材４と被係合部材３との係合解除は、利用者により若干でも蓋部材５が上方に持ち上げられる態様で説明されているが、係合部材４を被係合部材３に支持させたまま蓋部材５の下部を手前側に引くように動作させてもよい。これによれば、蓋部材５は係合部材４が断面視円形の被係合部材３に支持されているため被係合部材３を中心に下部が持ち上がるように回転し、この回転により蓋部材５の背面上端５ｂが実験台本体２の前面２ａに押圧されて、蓋部材５の背面上端５ｂと実験台本体の前面２ａとの当接部分を支点とし、また利用者が蓋部材５を持つ部分を力点として梃子の作用を働かせて、被係合部材３と係合部材４との当接箇所に大きな力をかけて積極的に垂下部４１を弾性変形させることで係合部材４と被係合部材３との係合解除を行うことができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、係合部材４全体が弾性変形可能な素材で形成される構成で説明されているが、この限りではなく、例えば垂下部４１のみを弾性変形可能な素材としてもよく、さらにいえば、基部４０と垂下部４１とを板バネなどで連結して垂下部４１を板バネの弾性変形で移動させる等、基部４０に対して垂下部４１が弾性変形可能であればどのような構成であってもよい。
【００３８】
また、シンク８の不使用時には、蓋部材５は係合部材４の基部下面４０ｆが被係合部材３上に載置されるようにして支持されているが、例えば垂下部４１の一部に載置面を形成することで、垂下部４１の下面が被係合部材３上に載置されて蓋部材５が支持されるようにしてもよい。
【符号の説明】
【００３９】
１                実験台
２                実験台本体
２ａ              前面
３                被係合部材
４                係合部材
５                蓋部材
５ａ              蓋部材背面
６                突起
８                シンク
８ａ              蛇口
１０              テーブル
１１              ガス栓
１２              カラー
４０              基部
４０ａ            上部ビス孔
４０ｂ            左右ビス孔
４０ｃ            基部固定側
４０ｄ            基部係合側
４０ｅ            基部膨出部
４１              垂下部
４１ａ            垂下部固定側
４１ｂ            壁部
４１ｃ            肉厚部
５０              基部肉抜き部（肉薄部）
５１              垂下部肉抜き部
１００            ネジ
４１０            傾斜面
【図１】
2014091089.tif 000003
【図２】
2014091089.tif 000004
【図３】
2014091089.tif 000005
【図４】
2014091089.tif 000006
【図５】
2014091089.tif 000007
【図６】
2014091089.tif 000008
【図７】
2014091089.tif 000009
【図８】
2014091089.tif 000010
【図９】
2014091089.tif 000011